(57)【要約】【課題】ウエストサイズを調節できるズボンを提供する。【解決手段】ウェスト部に設けたゴム通し部にゴムを通し、該ゴム通し部に通しているゴムの長さを調節出来るズボンであって、前記ゴム通し部にゴム引出穴を少なくとも一箇所設けると共に、一端を前記ゴム通し部に固定した前記ゴムに一定間隔をあけて複数のボタン穴を設け、前記ゴム引出し穴からウエストサイズに合わせてゴムを引出し、前記ゴム引出穴近傍にボタンを少なくとも一つ設け、前記ボタンを前記ボタン穴に通して止めることにより、前記ゴム通し部より引き出すゴムの長さを変えてウエスト周囲長さを調節可能としていることを特徴とするズボン。左右脇ゴムズボンのデザインは左右のウェストに同様の装置を設けることも可能とする。【選択図】図１
2011042914.tif 000002
【特許請求の範囲】
【請求項１】
ウェスト部に設けたゴム通し部にゴムを通し、該ゴム通し部に通しているゴムの長さを調節出来るズボンであって、前記ゴム通し部にゴム引出し穴を少なくとも一箇所設けると共に、一端を前記ゴム通し部に固定した前記ゴムに一定間隔の穴をあけて複数のボタン穴を設け、前記ゴム引出し穴からウエストサイズに合わせてゴムを引出し、前記ゴム引出し穴近傍にボタンを少なくとも１個設け、前記ボタンを前記ボタン穴に通して止めることにより、前記ゴム通し部より引出すゴムの長さを変えてウエスト周囲長さを調節可能としていることを特徴とするズボン。
【請求項２】
ウエスト部に設けたゴム通し部にゴムを通し、該ゴム通し部に通しているゴムの長さを調節出来るズボンであって、前期ゴム通し部にゴム引き出し穴を少なくとも一箇所設けると共に、一端を前記ゴム通し部に固定し、前記ゴムの端にテ−プ部を設けテ−プ部に一定間隔の複数のボタン穴を設け、前記ゴム引き出し穴からテ−プ部を引き出し、穴近傍にボタンを少なくとも１つ設け、前記ボタンを前記ボタン穴に通して止める事により、前記ゴム通し部より引き出すテ−プの長さを変える事でウェスト周囲長さを調節可能としている事を特徴とするズボン。
【発明の詳細な説明】
【技術分野】
【０００１】本発明はウエストに通すゴムの長さを調節出来るズボンに関する。
【背景技術】
【０００２】従来は、ウエストに環状のゴムを使用し、ウエストサイズに併せてゴムを引出し、調節するズボンがあった（特許文献１）。
【先行技術文献】
【特許文献】
【０００３】
【特許文献１】  特開２００４−１６２２０２号公報
【発明の概要】
【発明が解決しようとする課題】
【０００４】特許文献１のようなズボンは、パジャマ、ニットズボン、インナ−パンツには適するかも知れないがアウタ−ズボンとしてはデザイン的、機能的に問題がありアウタ−ズボンに装置しようとすれば機能的に見ても実用的、美的感覚から見ても違和感がある。
アウタ−ズボンに関して３箇所の調節で３ｃｍ相当の平ゴム幅のゴムを入れ、しかも二つに折り曲げて調節ボタンに止めると、本発明のゴムを通したとき、ごわごわしてウエストに、違和感を感じる。又３箇所の調節ゴムはデザイン的に見ても美しくない。
ゴム調節も面倒さを感じさせますし、アウタ−ズボンとしては実用的でない。
【課題を解決するための手段】
【０００５】本発明者は、上記課題を解決するため鋭意検討した結果、本発明を完成させた。即ち本発明は、ウェストに設けたゴム通し部にゴムを通し、該ゴム通し部に通しているゴムの長さを調節出来るズボンであって、前記ゴム通し部にゴム引出し穴を少なくとも一箇所設けると共に、一端を前記ゴム通し部に固定し、前記ゴムに一定間隔の穴をあけて複数のボタン穴を設け、前記ゴム引出し穴からウエストサイズに合わせてゴムを引出し、前記ゴム引出し穴近傍にボタンを少なくとも一個ないし二個設け、前記ボタンを前記ボタン穴に通して止めることにより、前記ゴム通し部より引き出すゴムの長さを変えてウエスト周囲長さを調節可能としていることを特徴とするズボンである。
又はゴムに直接穴を開ける事でボタン穴がほつれる、又は張力を加える事により穴が変形してボタンからゴムが外れる恐れがある場合は、ウエスト調節の部分を適時の長さに切った布綾テ−プ及び適時の素材テ−プに変更して不具合を解決するものとする。
【発明の効果】
【０００６】他の文献と比較するとインナ−やパジャマ・ニットパンツなどの素材デザインに適するかも知れないが、本発明は主にアウタ−ズボンに用いられそれらとは大きく異なる。
本発明は、ゴム調節穴はウエスト左右の何れか一方、若しくはデザインによってウエスト左右それぞれ一箇所に装置するもので、特許文献１の様な構造と、まったく異なるものである。
本発明は幅広平ゴムの調節ゴムでウェスト調節部に違和感はなく、且つデザイン的に見てもスッキリ感がありウエスト調節も簡単に出来る装置である。
商品選びをするとき、総丈、股下、ヒップ、ワタリの寸法は良いがウェストが大きい、小さい、の問題がありヒップラインや全体のシルエットが崩れファッション性に欠ける。違和感を解消する為の装置でこれらの条件を解決満たすものである。
もう一つの理由は高齢者になると体系が大幅に変わりウェストゴムのわずかな締め付けでも血流の流れを妨げアザや痛みや違和感と不快を感じる恐れがある。それらを解消する為の装置でもある。尚且つ、縫製が比較的簡単で安価な価格で縫製出来るのが特徴である。
【図面の簡単な説明】
【０００７】
【図１】本発明の総ゴムズボンの斜視図である。
【図２】ウエストゴム引出し穴と一方のゴム端内側縫い止め部と調節ボタン図である。
【図３】ウェストゴムを引き出し調節ゴムに止めた状態図である。
【図４】ウェスト調節穴間隔とゴムほつれ防止縫い位置図である。
【図５】調節ボタンを止めた状態でゴムの余しろのカット図である。
【図６】ウエストゴムと調整綾テ−プと繋ぎ合せた図である。
【図７】脇ゴムズボンの斜視図である。
【図８】脇左側の調節ゴムの内側止め位置と調節ゴムを引き出し調節ボタンに装置した図である。
【図９】脇ゴム止め図とゴム取り出し口とボタンの位置図である。
【図１０】本発明の脇ゴムズボンの斜視図の右側の透視図である。
【図１１】脇ゴム装置のボタン穴の間隔とほつれ防止縫い位置図である。
【図１２】ウェストゴムと調節綾テ−プを繋いだ図である。
【発明を実施するための形態】
【０００８】以下、本発明の実施の形態を、図面を参照して説明する。
図１は本発明の実施形態を示した斜視図で、図１に示す総ゴムズボン１は図２のｅの中側で、図２のｂのゴム端を縫い止め、図２ウエストゴムｂを右回りに通し図３のｄの穴から所要長さを引出し図４の５の調節ボタン穴に着用者の寸法に合わせて止める。
【０００９】図４の５の穴の寸法は１３ｍｍで図４の５は４段のウエスト調節が出来る穴である。図４の５のボタン穴の間隔は４センチである。ボタンの大きさは１５ｍｍである。
図４の６はテープを寸法に合わせたて切った場合のほつれ防止縫いである。
テープをカットする時は、ほつれ止め縫い図４の６の横２〜３ｍｍ離して図５のｇ部分を切り取る。
【００１０】図６のｆの部分はゴムでなく布綾テ−プ。ｆとｂを繋ぎ合せる。
本図面の説明は布綾テ−プで説明してあるが、製品の素材で適時テ−プの素材、ナイロン、合成樹脂等に変える事がある。ｆの部分のテ−プに図４の間隔でボタン穴を開け、ウェスト調整をする。
又製品の企画図面はデザインや機能性でボタンの大きさやボタン穴の大きさ、ボタン穴の間隔は製品によって変える事があるが基本装置は同じである。
【００１１】図７は本発明の実施の形態を示した脇半ゴムズボンの斜視図で、図１２に示す半ゴムズボンは図８のｈで示す中側部分を縫い止めし図８のｎから所要長さを引き出し図８のｉのボタンに止める。
【００１２】図８は図７の斜視図左側部分の半ゴムを止めた状態を表した図である
【００１３】図９は脇ゴムを通さない状態で内側ゴム止め位置と調節ゴム引き出し穴と調節ゴム止めボタン図である。
【００１４】図１０は図７の斜視図の右側の脇ゴム装置の透視図である。
ｑは調節ゴムの引き出し穴でｐは調節ゴム止めボタンである。
【００１５】図１１及び図７はボタン穴や穴の間隔、ゴム幅、ボタンの大きさ寸法は適時デザインや素材で変えられるものであるが基本装置は同じである。
【００１６】図１２は図１１と同じ規格寸法であるが、ゴムに直接ボタン穴を開ける事は請求項２に示した通りでゴム上に直接ボタン穴を開ける事でボタン穴ほつれ、張力により穴変形でボタンが外れる恐れがある等のトラブルを回避するため、製品によっては布綾テ−プか製品に適した素材のテ−プを使用する事もある。
図１２の７はｆとｍを縫い繋ぎした図である。
【符号の説明】
【００１７】ａ  ゴム調節止メボタン
ｂ  環状ゴム
ｃ  前身頃。後身頃合わせ脇線
ｄ  環状ゴム引き出穴
ｅ  環状ゴム片方固定ステッチ
ｆ  テープ
ｇ  余ゴムのカット位置
ｈ  左脇ゴムの片方の止位置
ｉ  脇ゴム調節止メボタン
ｊ  右脇ゴム調節ボタン位置
ｋ  右脇ゴム止メ位置
ｍ  脇調節ゴム
ｎ  左脇調節ゴム引き出し穴
ｏ  左脇線
１  総ゴムズボン
２  テープ
３  斜線はウエストに通したゴムを表す
４  左脇ポケット
５  テ−プボタン止め穴
６  テ−プほつれ止めミシンステッチ
７  平ゴムと綾テ−プの繋ぎ部
８  左右脇ゴム調節ズボン
９  左前内ポケット
１０  前身頃中心
１１  右脇ポケット
１２  右前身頃
１３  調節ボタン穴
１４  調節ゴムほつれ止め
【図１】
2011042914.tif 000003
【図２】
2011042914.tif 000004
【図３】
2011042914.tif 000005
【図４】
2011042914.tif 000006
【図５】
2011042914.tif 000007
【図６】
2011042914.tif 000008
【図７】
2011042914.tif 000009
【図８】
2011042914.tif 000010
【図９】
2011042914.tif 000011
【図１０】
2011042914.tif 000012
【図１１】
2011042914.tif 000013
【図１２】
2011042914.tif 000014